(57)【要約】      （修正有）【課題】実在の和彫師によって描画された日本固有文化である和彫り（和柄）の絵柄を再現するために、額、甲羅彫り、みきり、胸割りなど実際の和彫り絵柄の入れ方や技法を忠実に再現するのに適した和彫り絵柄付きカットソーを提供する。【解決手段】前身頃、後身頃及び脇身頃からなる型紙において、前記後身頃の型紙は、少なくとも一定の絵柄全体を切れ目なくプリント可能な形状と大きさに形成されると共に、両袖部は、前記後身頃とそれぞれ一体的に形成され、前記型紙に沿って生地体の前身頃、後身頃、両袖部及び脇身頃は裁断され、前記後身頃及び両袖部の生地体には、和彫師によって描画された絵柄の版下を介して前記絵柄がインクジェットによりプリントされてなり、前記後身頃及び両袖部におけるプリントを乾燥後に、前身頃、後身頃、両袖部及び脇身頃はそれぞれ接ぎ縫製されてなる。【選択図】図３
0003198229.tif 000002
【実用新案登録請求の範囲】
【請求項１】
前身頃、後身頃及び脇身頃からなる型紙において、
前記後身頃の型紙は、少なくとも一定の絵柄全体を切れ目なくプリント可能な形状と大きさに形成されると共に、両袖部は、前記後身頃とそれぞれ一体的に形成され、
前記型紙に沿って生地体の前身頃、後身頃、両袖部及び脇身頃は裁断され、
前記後身頃及び両袖部の生地体には、和彫師によって描画された絵柄の版下を介して前記絵柄がインクジェットによりプリントされてなり、
前記後身頃及び両袖部におけるプリントを乾燥後に、前身頃、後身頃、両袖部及び脇身頃はそれぞれ接ぎ縫製されてなることを特徴とする、和彫り絵柄付きカットソー。
【請求項２】
前記絵柄は、日本固有の文化である、和彫りないしは和柄であることを特徴とする、請求項１に記載した和彫り絵柄付きカットソー。
【請求項３】
前記生地体が、綿、ポリエステル、ポリウレタン、ウール、レーヨン、ナイロン、ポリエチレン、ゴム、ポリオレフィン、麻、パイル生地、アクリル、シルク、その他の指定外繊維であるリヨセル（登録商標：旭化成）、テンセル（登録商標：レンチング）、トリアセテートであることを特徴とする、請求項１又は請求項２に記載した和彫り絵柄付きカットソー。
【請求項４】
前記袖部の長さは、十分袖、九分袖、七分袖、五分袖又は袖なしであることを特徴とする、請求項１に記載した和彫り絵柄付きカットソー。
【請求項５】
前記インクジニットにより前記絵柄を生地体にプリントするインキは、発色性及び堅牢性を併せ有する顔料インキ又は染料インキであることを特徴とする、請求項１〜請求項３に記載した和彫り絵柄付きカットソー。
【考案の詳細な説明】
【技術分野】
【０００１】本考案は、和彫り絵柄付きカットソーに関し、より詳しくは、日本固有の文化である和彫師によって描画された和彫りないしは和柄の絵柄、文様等を白いキャンパスに見立てた後身頃及び両袖部にインクジェットによりプリントし、これを欧米諸国等に発信して、日本文化の幅広い普及と関心度を高めることが可能な、和彫り絵柄付きカットソーに関する。
【背景技術】
【０００２】近年、欧米諸国等において、日本固有の文化である和彫りないしは和柄の絵柄、文様等について、強い興趣と関心の高まりがマスコミ等により報じられている。
本来、和彫りないし和柄の絵柄、文様等は、刺青文化とも呼称されるように、日本人の一部には、関心のある文化ではあっても、刺青に対する日本人全体としては一種の暗いイメージがあり、未だこれは払拭されてはいない。したがって、日常生活においては、例えば、シャツやＴシャツ等の繊維製品に上記のような、和彫りないし和柄の絵柄、文様等をプリントしたものは、あまり市販されてはいない。さらに本願出願人による先行技術文献検索によれば、上記のような繊維製品に和彫りないし和柄の絵柄、文様等をプリントしたものは検索することはできなかった。わずかに特許文献１（第１頁、図１参照）の「和柄模様を備えた皮ベルト」が開示されているのみであった。【０００３】近年の日本固有文化である和彫りないし和柄や歴史等についての世界各国、とりわけ欧米諸国の関心の高まりの要因は定かではないが、インターネットの普及と共に、２０１３年９月のＩＯＣ（国際オリンピック委員会）総会における、２０２０年の東京オリンビック開催決定もその一因であることが考えられる。【０００４】一般的なカットソーの製作方法としては、前身頃及び後身頃の型紙は、襟刳りを除きほぼ同形とされ、両袖部の型紙も対称的に形成され、各身頃、両袖部の各接合部は縫製された後、前身頃、後身頃等に一般的なロゴや図形等がプリントして製作は完了する。
【先行技術文献】
【特許文献】
【０００５】
【特許文献１】特開２００７−３１８４２号公報
【考案の概要】
【考案が解決しようとする課題】
【０００６】そこで、本考案が解決しようとする課題は、以下の通りである。
○第１の課題は、実在の和彫師によって描画された日本固有文化である和彫り（和柄）の絵柄をカットソーで再現するために、額、甲羅彫り、みきり、胸割りなど実際の和彫り絵柄の入れ方や技法を忠実に再現するに適したオリジナル型紙に沿って裁断された生地体の後身頃に、その絵柄をインクジェットでプリントし、もって日本の歴史や文化を世界に普及することが可能な和彫り絵柄付きカットソーを提供することである。
○第２の課題は、和彫り（和柄）の絵柄を描画した和彫師（デザイナー）の作品（絵柄）をインターネットを介して配信すると共に、当該作品（絵柄）の和彫師（デザイナー）の名前も広く世界に知らしめることが可能な和彫り絵柄付きカットソーを提供することである。
○第３の課題は、カットソーの生地素材を、例えば、コットンとすれば、好適な着用感が得られることはもちろん、タペストリーのように室内に掛支して一種のアート作品として鑑賞することも可能な和彫り絵柄付きカットソーを提供することである。
○第４の課題は、後身頃及び袖部の長さに適合する絵柄模様を選んでプリントすることが可能な和彫り絵柄付きカットソーを提供することである。
○第５の課題は、プリントされた絵柄の色彩が洗浄や経年劣化等による退色が少ない和彫り絵柄付きカットソーを提供することである。
【課題を解決するための手段】
【０００７】課題を解決するための手段は、本願、実用新案登録請求の範囲の各請求項に記載の考案であり、その具体的な解決手段は、以下の通りである。
第１の考案は、請求項１に記載の考案であり、
前身頃、後身頃及び脇身頃からなる型紙において、前記後身頃の型紙は、少なくとも一定の絵柄全体を切れ目なくプリント可能な形状と大きさに形成されると共に、両袖部は、前記後身頃とそれぞれ一体的に形成され、前記型紙に沿って生地体の前身頃、後身頃、両袖部及び脇身頃は裁断され、前記後身頃及び両袖部の生地体には、和彫師によって描画された絵柄の版下を介して前記絵柄がインクジェットによりプリントされてなり、前記後身頃及び両袖部におけるプリントを乾燥後に、前身頃、後身頃、両袖部及び脇身頃はそれぞれ接ぎ縫製されてなることを特徴としている。【０００８】第２の考案は、請求項２に記載の考案であり、
前記絵柄は、日本固有の文化である、和彫りないしは和柄であることを特徴としている。【０００９】第３の考案は、請求項３に記載の考案であり、
前記生地体が、綿、ポリエステル、ポリウレタン、ウール、レーヨン、ナイロン、ポリエチレン、ゴム、ポリオレフィン、麻、パイル生地、アクリル、シルク、その他の指定外繊維であるリヨセル、テンセル、トリアセテートであることを特徴としている。【００１０】第４の考案は、請求項４に記載の考案であり、
前記袖部の長さは、十分袖、九分袖、七分袖、五分袖又は袖なしであることを特徴としている。【００１１】第５の考案は、請求項５に記載の考案であり、
前記インクジェットにより前記絵柄を生地体にプリントするインキは、発色性及び堅牢性を併せ有する顔料インキ又は染料インキであることを特徴としている。
【考案の効果】
【００１２】請求項１の考案によれば、実在の和彫師によって描画された日本固有文化である和彫り（和柄）の絵柄をカットソーで再現するために、額、甲羅彫り、みきり、胸割りなど実際の和彫り絵柄の入れ方や技法を忠実に再現するに適したオリジナル型紙に沿って裁断された生地体の後身頃に、その絵柄をインクジェットでプリントし、もって日本の歴史や文化を世界に普及することが可能な和彫り絵柄付きカットソーの提供という第１の課題を解決することができた。【００１３】請求項２の考案によれば、和彫り（和柄）の絵柄を描画した和彫師（デザイナー）の作品（絵柄）をインターネットを介して配信すると共に、当該作品（絵柄）の和彫師（デザイナー）の名前も広く世界に知らしめることが可能な和彫り絵柄付きカットソーの提供という第２の課題を解決することができた。【００１４】請求項３の考案によれば、カットソーの生地素材を、例えば、コットンとすれば、好適な着用感が得られることはもちろん、タペストリーのように室内に掛支して一種のアート作品として鑑賞することが可能な和彫り絵柄付きカットソーの提供という第３の課題を解決することができた。【００１５】請求項４の考案によれば、袖部の長さに適合する絵柄模様を選んでプリントした和彫り絵柄付きカットソーの提供という第４の課題を解決することができた。【００１６】請求項５の考案によれば、プリントされた絵柄の色彩が洗浄や経年劣化等による退色が少ない和彫り絵柄付きカットソーの提供という第５の課題を解決することができた。
【考案を実施するための最良の形態】
【００１７】図１は、本考案における和彫り絵柄付きカットソーを制作するための型紙の実施形態を示すもので、（イ）は後身頃及び両袖部の型紙平面図、（ロ）は前身頃の型紙平面図、（ハ）は両脇身頃の型紙平面図である。【００１８】図２は、上記の型紙に沿って裁断された生地体の後身頃に、和彫師によって描画された日本固有文化である和彫り（和柄）の絵柄をインクジェットでプリントした一実施例を示す平面図である。図２で示すように、少なくとも一定の絵柄全体を切れ目なくプリント可能な形状と大きさに形成されると共に、両袖部は、前記後身頃とそれぞれ一体的に形成されている。【００１９】図３は、身頃及び両袖部におけるプリントを乾燥後に、前身頃、後身頃、両袖部及び脇身頃はそれぞれ接ぎ縫製されてなる和彫り絵柄付きカットソーの一実施例を示すものであり、（二）は背面図（後身頃及び脇身頃の一部分）、（ホ）は正面図（前身頃全体及び後身頃と脇身頃の一部分）である。
【図面の簡単な説明】
【００２０】
【図１】和彫り絵柄付きカットソーを制作するための型紙の平面図
【図２】後身頃の生地体にプリントした一実施例の平面図
【図３】和彫り絵柄付きカットソーの一実施例
【符号の説明】イ  後身頃及び両袖部の型紙平面図
ロ  前身頃の型紙平面図
ハ  両脇身頃の型紙平面図
二  縫製してなるカットソーの背面図（後身頃及び脇身頃の一部分）
ホ  縫製してなるカットソーの正面図（前身頃全体及び後身頃と脇身頃の一部分）
【図１】
0003198229.tif 000003
【図２】
0003198229.tif 000004
【図３】
0003198229.tif 000005
【手続補正書】
【提出日】平成27年3月9日(2015.3.9)
【手続補正１】
【補正対象書類名】実用新案登録請求の範囲
【補正対象項目名】全文
【補正方法】変更
【補正の内容】
【実用新案登録請求の範囲】
【請求項１】
前身頃、後身頃及び脇身頃からなる型紙において、
前記後身頃の型紙は、少なくとも一定の絵柄全体を切れ目なくプリント可能な形状と大きさに形成されると共に、両袖部は、前記後身頃とそれぞれ一体的に形成され、
前記型紙に沿って生地体の前身頃、後身頃、両袖部及び脇身頃は裁断され、
前記後身頃及び両袖部の生地体には、和彫師によって描画された絵柄の版下を介して前記絵柄がインクジェットによりプリントされてなり、
前記後身頃及び両袖部におけるプリントを乾燥後に、前身頃、後身頃、両袖部及び脇身頃はそれぞれ接ぎ縫製されてなることを特徴とする、和彫り絵柄付きカットソー。
【請求項２】
前記絵柄は、日本固有の文化である、和彫りないしは和柄であることを特徴とする、請求項１に記載した和彫り絵柄付きカットソー。
【請求項３】
前記生地体が、綿、ポリエステル、ポリウレタン、ウール、レーヨン、ナイロン、ポリエチレン、ゴム、ポリオレフィン、麻、パイル生地、アクリル、シルク、その他の指定外繊維であるトリアセテートであることを特徴とする、請求項１又は請求項２に記載した和彫り絵柄付きカットソー。
【請求項４】
前記袖部の長さは、十分袖、九分袖、七分袖、五分袖又は袖なしであることを特徴とする、請求項１に記載した和彫り絵柄付きカットソー。
【請求項５】
前記インクジェットにより前記絵柄を生地体にプリントするインキは、発色性及び堅牢性を併せ有する顔料インキ又は染料インキであることを特徴とする、請求項１〜３のいずれか一項に記載の和彫り絵柄付きカットソー。